(57)【要約】【課題】  足を載せる本体の傾斜角度を、本体の裏側に設けたアジャスターにより変更可能としたストレッチ器具に関し、アジャスターの構成部材の紛失の恐れがなく、また、アジャスターの安定性が優れたストレッチ器具を提供すること。【解決手段】  この発明のストレッチ器具は、足を載せる本体１の傾斜角度を、本体１の裏側に設けたアジャスター２により変更可能としたストレッチ器具であって、アジャスター２は、一端側が本体１に回動自在に取り付けられたアジャスター基体３と、アジャスター基体３にスライド可能に取り付けられた支持体４からなり、アジャスター２使用時に、支持体４の上端部５と下端部６がそれぞれ本体１とアジャスター基体３に位置が固定された状態になるようにしたものとしている。【選択図】  図４
2005323812.tif 000002
【特許請求の範囲】
【請求項１】
足を載せる本体（１）の傾斜角度を、本体（１）の裏側に設けたアジャスター（２）により変更可能としたストレッチ器具であって、アジャスター（２）は、一端側が本体（１）に回動自在に取り付けられたアジャスター基体（３）と、アジャスター基体（３）にスライド可能に取り付けられた支持体（４）からなり、アジャスター（２）使用時に、支持体（４）の上端部（５）と下端部（６）がそれぞれ本体（１）とアジャスター基体（３）に位置が固定された状態になるようにしていることを特徴とするストレッチ器具。
【請求項２】
本体（１）に支持体（４）の上端部（５）が係合する係合穴（１３）を複数設けるとともに、前記係合穴（１３）に対応して、アジャスター基体（３）に支持体（４）の下端部（６）が係止される係合突起（１６）を設け、前記係合穴（１３）と係合突起（１６）により支持体（４）が略垂直方向に立つようにした請求項１記載のストレッチ器具。
【請求項３】
本体（１）の裏側に溝（９）を設け、この溝（９）にアジャスター（２）を収容できるようにしている請求項１又は２記載のストレッチ器具。
【発明の詳細な説明】
【技術分野】
【０００１】
この発明は、使用者が足の載せて立つことにより、筋肉をストレッチすることができるようにしたストレッチ器具に関するものである。
【背景技術】
【０００２】
傾斜した面に足を載せて立つと、首から腰、腰から太もも、ふくらはぎの筋肉が伸びた状態になり、身体全体の筋肉に対してストレッチ効果がある。このようなストレッチ効果を得るための器具が開発されており、そのなかには使用者の体格や体調に適合するように、足を載せる本体の傾斜角度を変更可能としたものがあった。
【０００３】
例えば特許文献１に記載の器具では、足を載せる踏み台３０と支持台２０との間に角度調整部材４０を挿入するようにしており、支持台２０の歯部２２の任意の位置に、角度調整部材４０の歯部４２を噛合させ、角度調整部材４０の頂部４３上に踏み台３０を載せることにより、踏み台３０を任意の角度で固定できるようにしている。
【０００４】
しかし、角度調整部材４０は、踏み台３０や支持台２０とは別体のものであり、紛失の恐れがあった。また、踏み台３０は角度調整部材４０の頂部４３上に載せられているだけであるため、角度調整部材４０の前後方向の幅の長さが短いと、角度調整部材４０が転倒するおそれがあり、安定性の点で問題があった。
【特許文献１】実公昭６２−９８９８号公報
【発明の開示】
【発明が解決しようとする課題】
【０００５】
そこで、この発明は、足を載せる本体の傾斜角度を、本体の裏側に設けたアジャスターにより変更可能としたストレッチ器具に関し、アジャスターの構成部材の紛失の恐れがなく、また、アジャスターの安定性が優れたストレッチ器具を提供することを課題とする。
【課題を解決するための手段】
【０００６】
この発明のストレッチ器具は、足を載せる本体１の傾斜角度を、本体１の裏側に設けたアジャスター２により変更可能としたストレッチ器具であって、アジャスター２は、一端側が本体１に回動自在に取り付けられたアジャスター基体３と、アジャスター基体３にスライド可能に取り付けられた支持体４からなり、アジャスター２使用時に、支持体４の上端部５と下端部６がそれぞれ本体１とアジャスター基体３に位置が固定された状態になるようにしたものとしている。
【０００７】
さらに、本体１に支持体４の上端部５が係合する係合穴１３を複数設けるとともに、前記係合穴１３に対応して、アジャスター基体３に支持体４の下端部６が係止される係合突起１６を設け、前記係合穴１３と係合突起１６により支持体４が略垂直方向に立つようにしたものとすることができる。
【０００８】
また、本体１の裏側に溝９を設け、この溝９にアジャスター２を収容できるようにすることもできる。
【発明の効果】
【０００９】
この発明のストレッチ器具は、上述のような構成を有しており、アジャスター２が、アジャスター基体３と、これにスライド可能に取り付けられた支持体４からなるため、アジャスター２の構成部材の紛失の恐れがなく、また、アジャスター２使用時に、支持体４の上端部５と下端部６がそれぞれ本体１とアジャスター基体３に位置が固定された状態になり、本体１がしっかりと保持されるため、アジャスター基体３の前後方向の幅の長さが比較的短いものでも安定性を保つことが可能である。
【００１０】
さらに、本体１に支持体４の上端部５が係合する係合穴１３を複数設けるとともに、前記係合穴１３に対応して、アジャスター基体３に支持体４の下端部６が係止される係合突起１６を設け、前記係合穴１３と係合突起１６により支持体４が略垂直方向に立つようにすることにより、アジャスター２に大きな荷重がかかっても耐えることができる。
【００１１】
さらに、本体１の裏側に溝９を設け、この溝９にアジャスター２を収容できるようにしているものとすれば、アジャスター２の不使用時にコンパクトにすることができる。
【発明を実施するための最良の形態】
【００１２】
この発明のストレッチ器具は、足を載せる本体１の傾斜角度を、本体１の裏側に設けたアジャスター２により変更可能としたストレッチ器具であって、アジャスター２は、一端側が本体１に回動自在に取り付けられたアジャスター基体３と、アジャスター基体３にスライド可能に取り付けられた支持体４からなり、アジャスター２使用時に、支持体４の上端部５と下端部６がそれぞれ本体１とアジャスター基体３に位置が固定された状態になるようにしている。
【００１３】
以下、この発明の好適な実施形態を、図面を参照して説明する。
【００１４】
図１は、この発明の実施形態のストレッチ器具の斜視図、図２は本体１の裏側を上にした斜視図、図３は片方のアジャスター２を取り外し分解した場合の本体１の裏側を上にした斜視図、図４はアジャスター２を使用した場合の左側面図、図５はこのストレッチ器具の本体１に足を載せた場合の左側面図である。
【００１５】
図１に示したように、本体１は全体が四角形状で、表側の面は足裏の指圧用の突起７が複数形成された平面状で、後端部８が隆起しており、裏側の面は緩やかな曲面となっている。
【００１６】
図２に示したように、本体１の裏側の面には、左右に適宜間隔で前後方向の溝９が設けられており、両溝９，９の内側には突起１０が設けられている。このストレッチ器具は、裏側の面を上にして使用者の背中を前記突起１０で刺激するようにして使用することも可能である。
【００１７】
図３に示したように、アジャスター２は、アジャスター基体３と支持体４から構成される。前記溝９には、アジャスター２を収容することができる。溝９の後部１１は深くなっており、ここにアジャスター２の支持体４を収容することができる。また、溝９の前部１２には、支持体４の上端部５が係合する係合穴１３が適宜間隔で４個形成されている。
【００１８】
アジャスター基体３は、本体１の裏側の曲面に対応して曲がった細長い片で、その後端部の両側に設けた円形の凸部１４が、前記溝９の後端部の両側に形成された円形の凹部１５に回動自在に取り付けられている。アジャスター基体３は断面略エ字状となっており、上端部には、支持体４の下端部６が係合する係合突起１６が前記係合穴１３と同一間隔で４個形成されている。
【００１９】
支持体４は、上端部５が前記係合穴１３に嵌合する形状で、下端部６は、後側（図４中の右側）にアジャスター基体３の上端部を両側から挟み込むようにした腕１７を有し、かつその前側部分１８が前記係合突起１６に当接して係止されるような形状となっている。
【００２０】
支持体４の左右各側面は、上端部５と下端部６の前側部分１８との間を結ぶ辺よりも、上端部５と下端部６の腕１７を設けた側との間を結ぶ辺が長い、細長い略三角形状となっている。
【００２１】
図４に示したように、支持体４の上端部５が前記いずれかの係合穴１３に係合し、支持体４の下端部６が前記係合穴１３に対応する係合突起１６に係止されると、支持体４の上端部５と下端部６がそれぞれ本体１とアジャスター基体３に位置が固定された状態になり、支持体４が転倒することなく本体１はアジャスター２によって安定的に支持される。この状態において、図５に示したように、本体１に使用者の足を載せてストレッチを行うことができる。なお、このストレッチ器具は、本体１の裏側の後部の左右に設けられた突起１９と、アジャスター基体３の前部に設けられた突起２０で床面に接するようにしている。
【００２２】
また、前記係合穴１３と係合突起１６により支持体４が略垂直方向に立つようになっている。ここで、支持体４が略垂直方向に立つとは、支持体４の左右各側面の上端部５と下端部６の腕１７を設けた側との間を結ぶ辺が略垂直方向になっていることを意味することとする。これにより、アジャスター２は、支持体４が図示したような細いものであっても、比較的大きな荷重に耐えることが可能である。
【００２３】
本体１やアジャスター２は、合成樹脂製とすることができる。また、両側のアジャスター基体３に掛け渡されるような連結部材を設け、両アジャスター基体３を同時に回動させられるようにしてもよい。
【００２４】
なお、この発明のストレッチ器具は、この実施形態に示した形状や素材に限定されることなく、適宜の態様で実施することが可能である。
【産業上の利用可能性】
【００２５】
健康維持・向上のためのストレッチ器具として利用することが可能である。
【図面の簡単な説明】
【００２６】
【図１】この発明の実施形態のストレッチ器具の斜視図である。
【図２】この発明の実施形態のストレッチ器具の本体の裏側を上にした斜視図である。
【図３】この発明の実施形態のストレッチ器具の片方のアジャスターを取り外し分解した場合の本体の裏側を上にした斜視図である。
【図４】この発明の実施形態のストレッチ器具のアジャスターを使用した場合の左側面図である。
【図５】この発明の実施形態のストレッチ器具の本体に足を載せた場合の左側面図である。
【符号の説明】
【００２７】
１  本体
２  アジャスター
３  アジャスター基体
４  支持体
５  支持体の上端部
６  支持体の下端部
９  溝
１３  係合穴
１６  係合突起
【図１】
2005323812.tif 000003
【図２】
2005323812.tif 000004
【図３】
2005323812.tif 000005
【図４】
2005323812.tif 000006
【図５】
2005323812.tif 000007